(57)【特許請求の範囲】
【請求項１】
扱室内に扱胴をその軸線廻りに回動自在に取り付け、同扱胴の周壁に複数の扱歯を突設して、回動する扱胴の下側周壁に沿わせてその軸線方向に穀稈を搬送することにより、同穀稈を扱歯により脱穀するようにしたコンバインにおいて、
扱胴の周壁は、筒状の周壁本体と、同周壁本体の前端縁部に前方へ先細り状に形成したテーパー面とから形成する一方、
穀稈を搬送する流路の始端側部の上方近傍位置に、ささり防止体を配設すると共に、同ささり防止体は、扱室形成部材に取り付ける取り付け片と、同取り付け片より扱胴の周壁に沿わせて突出させて扱歯に干渉する前側干渉片及び後側干渉片とを具備し、
前側干渉片は、扱胴の前端縁部に形成したテーパー面に沿わせて配置して、同前側干渉片に上記テーパー面に向けて突出状に形成したブラシを設け、かつ、後側干渉片は、扱胴の周壁本体の前部に沿わせて配置して、同後側干渉片に上記周壁本体に向けて突出状に形成したブラシを設け、
前側のブラシの後端部と後側のブラシの前端部とは、側面視にて内外側に重合させて連続させ、上記扱胴の周壁の前部に突設した扱歯が、前・後側干渉片のブラシを上方から下方へ通過するようにして、両ブラシにより扱歯が持ち回った穀粒を扱室の内側方に脱落させるようにしたことを特徴とするコンバインのささり防止構造。
【請求項２】
ささり防止体は、扱室の外側上部を形成し、かつ、上方へ跳ね上げて扱室を開放可能とする扱室カバー体に取り付けたことを特徴とする請求項１に記載のコンバインのささり防止構造。
【発明の詳細な説明】
【０００１】
【発明の属する技術分野】
本発明は、コンバインのささり防止構造に関する。
【０００２】
【従来の技術】
従来、コンバインの脱穀部の一形態として、扱室内に扱胴をその軸線廻りに回動自在に取り付け、 同扱胴の周壁に複数の扱歯を突設して、回動する扱胴の下側周壁に沿わせてその軸線方向に穀稈を搬送することにより、 同穀稈を扱歯により脱穀するようにしたものがある。
【０００３】
【発明が解決しようとする課題】
ところが、上記したコンバインの脱穀部では、穀稈を脱穀した扱歯が、穀粒を持ち回って、搬送されてくる穀稈に再度扱歯が作用した際に、持ち回った穀粒が穀稈の株元側にささるという、いわゆる「ささり粒」が発生し、このささり粒が排藁と一緒に排出されるという不具合がある。
【０００４】
特に、扱胴の前部側において脱穀される穀粒の量が多いことから、 それに比例して扱歯が持ち回る穀粒の量も多くなり、その結果、ささり粒の発生も多くなっている。
【０００５】
【課題を解決するための手段】
そこで、本発明では、扱室内に扱胴をその軸線廻りに回動自在に取り付け、同扱胴の周壁に複数の扱歯を突設して、回動する扱胴の下側周壁に沿わせてその軸線方向に穀稈を搬送することにより、同穀稈を扱歯により脱穀するようにしたコンバインにおいて、扱胴の周壁は、筒状の周壁本体と、同周壁本体の前端縁部に前方へ先細り状に形成したテーパー面とから形成する一方、穀稈を搬送する流路の始端側部の上方近傍位置に、ささり防止体を配設すると共に、同ささり防止体は、扱室形成部材に取り付ける取り付け片と、同取り付け片より扱胴の周壁に沿わせて突出させて扱歯に干渉する前側干渉片及び後側干渉片とを具備し、前側干渉片は、扱胴の前端縁部に形成したテーパー面に沿わせて配置して、同前側干渉片に上記テーパー面に向けて突出状に形成したブラシを設け、かつ、後側干渉片は、扱胴の周壁本体の前部に沿わせて配置して、同後側干渉片に上記周壁本体に向けて突出状に形成したブラシを設け、前側のブラシの後端部と後側のブラシの前端部とは、側面視にて内外側に重合させて連続させ、上記扱胴の周壁の前部に突設した扱歯が、前・後側干渉片のブラシを上方から下方へ通過するようにして、両ブラシにより扱歯が持ち回った穀粒を扱室の内側方に脱落させるようにしたことを特徴とするコンバインのささり防止構造を提供するものである。
【０００６】
また、本発明では、ささり防止体は、扱室の外側上部を形成し、かつ、上方へ跳ね上げて扱室を開放可能とする扱室カバー体に取り付けたことにも特徴を有する。
【０００７】
【発明の実施の形態】
以下に、本発明の実施の形態について説明する。
【０００８】
すなわち、本発明に係るコンバインのささり防止構造は、基本的構造として、扱室内に扱胴をその軸線廻りに回動自在に取り付け、同扱胴の周壁に複数の扱歯を突設して、回動する扱胴の下側周壁に沿わせてその軸線方向に穀稈を搬送することにより、同穀稈を扱歯により脱穀するようにしている。
【０００９】
そして、本発明では、特徴的構造として、穀稈を搬送する流路の少なくとも始端側部の上方近傍位置に、ささり防止体を配設している。
【００１０】
このようにして、穀稈を脱穀した扱歯が、穀粒を持ち回って、搬送されてくる穀稈に再度扱歯が作用する直前にささり防止体が扱歯に干渉して、扱歯が持ち回った穀粒を扱室の内側方に脱落させるようにしている。その結果、ささり粒の発生を防止(ささり防止)することができて、穀粒の回収率を向上させることができる。
【００１１】
しかも、ささり防止体は、扱室形成部材に取り付ける取り付け片と、同取り付け片より扱胴の周壁に沿わせて突出させて扱歯に干渉する干渉片とを具備し、同干渉片により扱歯が持ち回った穀粒を扱室の内側方に脱落させるようにしている。
【００１２】
このようにして、扱室形成部材の最適位置(ささり防止効果の高い位置)にささり防止体を用意に取り付けることができるようにしている。
【００１３】
さらに、干渉片として、扱歯が通過することが可能なブラシを使用している。
【００１４】
このようにして、干渉片により扱歯が持ち回った穀粒を確実に脱落させることができると共に、同干渉片を通過する扱歯を損傷等させることなく脱穀機能を良好に確保することができるようにしている。
【００１５】
また、ささり防止体は、扱室の外側上部を形成し、かつ、上方へ跳ね上げて扱室を開放可能とする扱室カバー体に取り付けている。
【００１６】
このようにして、扱室カバー体を開放することにより、同扱室カバー体に取り付けたささり防止体のメンテナンスを楽に行うことができるようにしている。
【００１７】
【実施例】
以下に、本発明の実施例を、図面を参照しながら説明する。
【００１８】
図１は、本発明に係るコンバインＡを示しており、同コンバインＡは、左右一対のクローラ式の走行部1,1上に機体フレーム２を載設し、同機体フレーム２の前端部に刈取部４を取り付け、機体フレーム２上の左側前部に脱穀部６を配設し、同脱穀部６の直下方位置に揺動選別部７を配設する一方、同揺動選別部７の後方上部であって、脱穀部６の直後方位置に排藁処理部８を配設している。
【００１９】
しかも、コンバインＡは、機体フレーム２上の右側前部に運転部９を配設し、同運転部９の直後方位置であって、脱穀部６の直上方位置に穀粒貯留部10を配設している。
【００２０】
このようにして、刈取部４により圃場に植生している穀稈を刈り取り、この刈り取った穀稈を脱穀部６に搬送して、同脱穀部６により穀稈を脱穀し、この脱穀した穀粒を揺動選別部7により選別して、選別した清粒を穀粒貯溜部10に搬送して貯留する一方、排藁を排藁処理部8に搬送して、同排藁処理部8により排藁を処理するようにしている。
【００２１】
脱穀部6は、図2及び図3に示すように、扱室11内にドラム状の扱胴12を配設すると共に、同扱胴12の軸線を前後方向に向けて扱胴支軸13により回動自在に軸架しており、同扱胴12の周壁12aには多数個の扱歯14を突設している。
【００２２】
そして、周壁12aは、筒状の周壁本体12bと、同周壁本体12bの前端縁部に前方へ先細り状に形成したテーパー面12cとから形成している。
【００２３】
ここで、図2 及び図3中の15は、扱室11を形成する扱室形成部材の一部である扱室カバー体を示しており、同扱室カバー体15は、扱胴12の直上方を被覆する上方カバー形成片15aと、扱胴12の左側上半部を被覆する左側カバー形成片15b とから形成し、上方カバー形成片15aの右側端部を扱室形成部材の一部である右側壁(図示せず) の上端縁部に取り付けた枢支片16に枢支ブラケット17を介して枢支している。
【００２４】
このようにして、扱室カバー体15を、扱胴12の直上方と左側上半部とを被覆する使用位置と、上方へ開放した不使用位置との間で開閉自在としている。
【００２５】
また、図2及び図3中の18は、扱胴12の左側方を前後方向に伸延させて配置したフィードチェンであり、同フィードチェン18は、刈取部４により刈り取った穀稈Ｋの株元部を、扱室カバー体15の下端縁部に取り付けた狭やく杆19と協働して狭持すると共に、穀稈Ｋの穂先部を扱胴12の下側周面に沿わせて前方から後方へ向けて搬送するようにしている。
【００２６】
この際、図3に示す正面図において、時計回りに回動する扱胴12の扱歯14により穀稈Ｋの穂先部に付いている穀粒Ｒを脱穀するようにしている。
【００２７】
かかる構成において、本発明の要旨は、穀稈Ｋを前記フィードチェン18と狭やく杆19とが協働して搬送する流路の少なくとも始端側部の上方近傍位置に、ささり防止体20を配設したことにある。
【００２８】
すなわち、ささり防止体20は、図2から図5に示すように、扱室カバー体15の下端縁部の前部に取り付けた取り付け片21と、同取り付け片21より扱胴12の周壁12a に沿わせて突出させて扱歯14に干渉する前側干渉片22及び後側干渉片23とを具備している。
【００２９】
そして、前側干渉片22は、扱胴12の前端縁部に形成したテーパー面12c に沿わせて配置しており、取り付け片21に取り付けたブラシ支持片22aと、 同ブラシ支持片22aより扱胴12のテーパー面12cに向けて突出状に形成したブラシ22bとから形成している。
【００３０】
また、後側干渉片23は、扱胴12の周壁本体12b の前部に沿わせて配置しており、前側干渉片22の直後方位置において、取り付け片21に取り付けたブラシ支持片23aと、同ブラシ支持片23aより扱胴12の周壁本体12b に向けて突出状に形成したブラシ23bとから形成している。
【００３１】
しかも、前側のブラシ22bの後端部と後側のブラシ23bの前端部とは、側面視にて内外側に重合させて連続させている。
【００３２】
このようにして、扱胴12が回動した際には、同扱胴12の周壁12a の前部に突設した扱歯14は、干渉片22,23のブラシ22b,23bを上方から下方へ通過するようにしている。
【００３３】
この際、扱胴12の周壁12aの前部に突設した扱歯14により大部分の穀粒が脱穀され、それに伴ってかかる扱歯14が持ち回る脱粒量も多くなるが、同扱歯14が上記ブラシ22b,23bを通過する際に、脱粒は扱室11の内方に確実に脱落されて、フィードチェン18により搬送される穀稈Ｋに脱粒( 脱穀された穀粒) が刺さることがない。
【００３４】
【発明の効果】
本発明によれば、次のような効果が得られる。
【００３５】
（１）請求項１記載の本発明では、扱室内に扱胴をその軸線廻りに回動自在に取り付け、同扱胴の周壁に複数の扱歯を突設して、回動する扱胴の下側周壁に沿わせてその軸線方向に穀稈を搬送することにより、同穀稈を扱歯により脱穀するようにしたコンバインにおいて、扱胴の周壁は、筒状の周壁本体と、同周壁本体の前端縁部に前方へ先細り状に形成したテーパー面とから形成する一方、穀稈を搬送する流路の始端側部の上方近傍位置に、ささり防止体を配設すると共に、同ささり防止体は、扱室形成部材に取り付ける取り付け片と、同取り付け片より扱胴の周壁に沿わせて突出させて扱歯に干渉する前側干渉片及び後側干渉片とを具備し、前側干渉片は、扱胴の前端縁部に形成したテーパー面に沿わせて配置して、同前側干渉片に上記テーパー面に向けて突出状に形成したブラシを設け、かつ、後側干渉片は、扱胴の周壁本体の前部に沿わせて配置して、同後側干渉片に上記周壁本体に向けて突出状に形成したブラシを設け、前側のブラシの後端部と後側のブラシの前端部とは、側面視にて内外側に重合させて連続させ、上記扱胴の周壁の前部に突設した扱歯が、前・後側干渉片のブラシを上方から下方へ通過するようにして、両ブラシにより扱歯が持ち回った穀粒を扱室の内側方に脱落させるようにしている。
【００３６】
このようにして、前側のブラシの後端部と後側のブラシの前端部とを側面視にて内外側に重合させて連続させるとともに、扱胴が回動した際には、同扱胴の周壁の前部に突設した扱歯は、前・後側干渉片の両ブラシを上方から下方へ通過するようにして、両ブラシにより扱歯が持ち回った穀粒を扱室の内側方に脱落させるようにしている。
この際、扱胴の周壁の前部に突設した扱歯により大部分の穀粒が脱穀され、 それに伴ってかかる扱歯が持ち回る脱粒量も多くなるが、同扱歯が上記ブラシを通過する際に、脱粒は扱室の内方に確実に脱落されて、搬送される穀稈に脱粒(脱穀された穀粒)が刺さることがない。
【００３７】
（２）請求項２記載の本発明では、ささり防止体は、扱室の外側上部を形成し、かつ、上方へ跳ね上げて扱室を開放可能とする扱室カバー体に取り付けている。
【００３８】
このようにして、扱室カバー体を開放することにより、同扱室カバー体に取り付けたささり防止体のメンテナンスを楽に行うことができる。
【図面の簡単な説明】
【図１】本発明に係るコンバインの側面図。
【図２】同コンバインの脱穀部の側面図。
【図３】同脱穀部の正面説明図。
【図４】同ささり防止体の側面図。
【図５】同ささり防止体の正面図。
【符号の説明】
Ａ コンバイン
１ 走行部
２ 機体フレーム
４ 刈取部
６ 脱穀部
【図１】
0004037580.tif 000002
【図２】
0004037580.tif 000003
【図３】
0004037580.tif 000004
【図４】
0004037580.tif 000005
【図５】
0004037580.tif 000006